(57)【特許請求の範囲】
【請求項１】
ワイヤレス通信システムにおける方法であって、前記ワイヤレス通信システムにおける少なくとも１つのセルが、サービスを提供する基地局を有し、かつ前記サービスを提供する基地局の通信領域内に境界が定められた少なくとも１つのスモール・セルを含む、異種セルとして特徴付けられ、前記方法が、
干渉抑制ゾーンを構成するときに、前記少なくとも１つのスモール・セルの境界の周りを囲む地理的領域を決定するステップと、
前記干渉抑制ゾーンに入る移動局に、逆方向リンク送信パワーを調整させるステップと
を備え、
前記ワイヤレス通信システムは、前記干渉抑制ゾーンの範囲を決定し、サービスを提供される前記移動局にしきい値を提供し、前記移動局が、計算された距離またはダウンリンクパワー測定値と前記提供されたしきい値との比較に基づいて、前記干渉抑制ゾーンへの近接性を決定することが可能となり、
前記提供されたしきい値は、公称抑制距離Ｄ＿ｎｏｍであり、前記移動局は、Ｄ＿ｎｏｍ、前記移動局の速度、およびマクロ・セルからのダウンリンクにおける参照信号受信パワー（ＲＳＲＰ）の関数として、前記干渉抑制ゾーンへのエントリポイントを前記少なくとも１つのスモール・セルの前記境界からの距離Ｄ＿ｓｕｐとして決定する、方法。
【請求項２】
前記移動局によって送られる最も低い優先度のトラフィックは、前記移動局が前記干渉抑制ゾーン内にある期間、停止する、請求項１に記載の方法。
【請求項３】
前記移動局によって送られるより優先度の高いトラフィックの逆方向リンクの送信パワーは、前記移動局が前記干渉抑制ゾーン内にある期間、受け入れられるサービス品質（ＱｏＳ）をサポートするために必要な最小レベルに下げられる、請求項２に記載の方法。
【請求項４】
前記より優先度の高いトラフィックはボイス・トラフィックを含み、逆方向リンクの送信パワーの減少は、前記ボイス・トラフィックのボコーダー速度を下げることによって達成される、請求項３に記載の方法。
【請求項５】
前記ワイヤレス・システムは、前記干渉抑制ゾーンの範囲を決定し、サービスを提供される移動局から前記ワイヤレス・システムに提供される移動局位置情報に基づいて、前記干渉抑制ゾーンへのその近接性に関して情報を前記移動局に提供する、請求項１に記載の方法。
【請求項６】
前記干渉抑制ゾーンへの移動局の近接性は、隣接する移動局からの逆方向リンク送信に起因する前記スモール・セルでの干渉に基づいて、境界が前記マクロ・セルによって定められた１つまたは複数のスモール・セルによって提供される、請求項１に記載の方法。
【請求項７】
サービスを提供する基地局を有し、前記サービスを提供する基地局の通信領域内に境界が定められた複数のスモール・セルを含む異種セルとして特徴付けられる少なくとも１つのセルを含むワイヤレス通信システムであって、
複数のスモール・セルのクラスタの外側周辺に隣接し、前記外側周辺を囲む画定された地理的な領域を提供して、前記スモール・セルのクラスタについて干渉抑制ゾーンを構成することを含み、
前記スモール・セル干渉抑制ゾーンに入る移動局は、前記スモール・セル・クラスタ内のスモール・セルへの干渉を減らす方法で、その逆方向リンクの送信パワーを調整させられ、
前記ワイヤレス通信システムは、前記干渉抑制ゾーンの範囲を決定し、サービスを提供される前記移動局にしきい値を提供し、前記移動局が、計算された距離またはダウンリンクパワー測定値と前記提供されたしきい値との比較に基づいて、前記干渉抑制ゾーンへの近接性を決定することが可能となり、
前記提供されたしきい値は、公称抑制距離Ｄ＿ｎｏｍであり、前記移動局は、Ｄ＿ｎｏｍ、前記移動局の速度、およびマクロ・セルからのダウンリンクにおける参照信号受信パワー（ＲＳＲＰ）の関数として、前記干渉抑制ゾーンへのエントリポイントを前記少なくとも１つのスモール・セルの前記境界からの距離Ｄ＿ｓｕｐとして決定する、ワイヤレス通信システム。
【請求項８】
移動局の逆方向リンクの送信パワーの調整は、前記移動局が前記干渉抑制ゾーン内にある期間、前記移動局によって送られる最も低い優先度のトラフィックの送信を中止することによって達成される、請求項７に記載のワイヤレス通信システム。
【請求項９】
移動局の逆方向リンクの送信パワーのさらなる調整は、前記移動局が前記干渉抑制ゾーン内にある期間、前記移動局によって送られるより優先度の高いトラフィックの移動局の逆方向リンクの送信パワーを減少することによって達成される、請求項８に記載のワイヤレス通信システム。
【発明の詳細な説明】
【技術分野】
【０００１】
本発明は、一般的に、ワイヤレス通信システムにおける干渉の管理に関する。
【背景技術】
【０００２】
当技術分野のワイヤレス通信システムにおいて、ユーザにワイヤレス・サービスを提供するために、様々な伝送プロトコルが開発されている。そのような伝送プロトコルに基づいた例示的なネットワーク・サービスは、高速パケット・データ（ＨＲＰＤ）、Ｌｏｎｇ  Ｔｅｒｍ  Ｅｖｏｌｕｔｉｏｎ（ＬＴＥ）、およびＵｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）を含む。これらのネットワーク・サービスのそれぞれは、特定の無線アクセス技術（ＲＡＴ）に関して規定されており、一般的に、異なる各伝送プロトコルを規定するＲＡＴは、所与のＲＡＴに基づく通信の送信および受信のために固有のＲＦ構成を必要とする。
【０００３】
現在、主として、データ・トラフィック集中の対象となる領域において容量を増加させるために、より小さなサイズのセルが、より大きなマクロ・セルの通信領域内に組み込まれる異種ネットワーク（ＨｅｔＮｅｔ）が開発されている。そのような異種ネットワークは、ワイヤレス・ネットワークの全体的な容量を効率的に増加させるために、ユーザ（およびトラフィック）分布の空間的変動を利用しようとする。
【０００４】
セル・サイズに基づいて、異種ネットワークは、一般的に、次の２つの主なタイプに従って分類される：マクロ・セルおよびマクロ中継器を含むラージ・セル（Ｌａｒｇｅ  ｃｅｌｌ）、およびマイクロ・セル、ピコ・セル、ホーム基地局（ＨｅＮＢ：Ｈｏｍｅ  ｅｖｏｌｖｅｄ  ｎｏｄｅ  Ｂ）／フェムト・セル（通常、私的に維持される）、および小型中継器を含むスモール・セル（Ｓｍａｌｌ  ｃｅｌｌ）である。マクロの有効範囲が、点在するスモール・セルの有効範囲に重なるのは、一般的な展開シナリオである。マクロ・セル基地局と通信する移動局、またはユーザ装置（ＵＥ）は、通常は、移動体／ＵＥから（通常は近くにある）重なったスモール・セルへのリンクに対するよりも、より高い送信パワー・レベルでこれを行い、この送信パワー差は、多くの場合、ＨｅｔＮｅｔにおいて深刻な干渉管理問題を引き起こす。
【０００５】
さらに、スペクトル・リソースが制限されているため、システム・オペレータは、ＨｅｔＮｅｔのマクロ・セルおよびスモール・セルによって同じキャリアを共有する必要がある場合がある。その状況では、マクロ・セルと１つまたは複数のスモール・セルとの間で有効範囲がオーバーラップする場合、問題が発生する場合がある。そのような有効範囲のオーバーラップにおいては、スモール・セルに接続されたＵＥは、マクロ・セルと通信している近くのＵＥから、その逆方向リンクにおいて過度の干渉を経験する場合がある。そのようなＵＥからマクロ・セルへの送信は、典型的には、ＵＥからスモール・セルへの送信より、はるかに高い送信パワー・レベルで発生する。
【０００６】
隣接するマクロ・セル間でのセル間干渉調整（ＩＣＩＣ：Ｉｎｔｅｒ−Ｃｅｌｌ  Ｉｎｔｅｒｆｅｒｅｎｃｅ  Ｃｏｏｒｄｉｎａｔｉｏｎ）の技術が一般に知られているが、異種ネットワークにおいてマクロ・セルとスモール・セルとの間で、ＵＥごとにネットワーク制御されたＩＣＩＣを実施するのは難しい。たとえば、マクロ・セルとスモール・セルとの間のリソース分割など、そのようなＨｅｔＮｅｔ内の干渉問題に取り組むために少数の技術が発展してきてはいるが、そのような技術には、ＵＥごとに厳密な同期および複雑なスケジューリングが必要であり、一般的に、ネットワークの全体的なスペクトル効率が低下する結果となる。
【発明の概要】
【発明が解決しようとする課題】
【０００７】
上記のように、ＨｅｔＮｅｔにおける逆方向リンクのマクロからスモール・セルへの干渉は、主に、逆方向リンクでマクロ・セルと通信するＵＥのはるかに高い送信パワーによって引き起こされる。本発明は、ＵＥがスモール（またはピコ）セルの有効範囲に接近しているときに、ＵＥの送信パワーを減らし、マクロ・セルからスモール・セルへの干渉を最小限にするために、ＵＥをできるだけ早くスモール・セルにリダイレクト／再分配するための方法を提供する。
【課題を解決するための手段】
【０００８】
特定の実施形態では、本発明は、スモール・セルのスモール・セル通信領域に接するが、そのスモール・セル通信領域の外部にあるマクロ・セル通信領域の一部における干渉抑制ゾーンを提供する。干渉抑制ゾーン内に位置するＵＥの送信パワーは、スモール・セルへのセル間干渉を最小限にするために減らされる。本発明の方法は、干渉抑制ゾーンに位置するＵＥのために当技術分野のリダイレクション／再分配の方法を拡張するようにさらに機能し、マクロ・セルからスモール・セルへの干渉をさらに減らす。本発明のさらに他の実施形態では、干渉抑制ゾーンの範囲を決定し、ＵＥから干渉抑制ゾーンへの近接性を決定するための方法が提供される。
【０００９】
本発明の教示は、添付の図面と共に以下の詳細な説明を考慮することによって容易に理解することができる。
【図面の簡単な説明】
【００１０】
【図１】本発明の方法が実施され得る無線システム構成の概略図である。
【発明を実施するための形態】
【００１１】
以下の記述では、限定ではなく説明を目的として、本発明の説明のための実施形態についての完全な理解を提供するために、特定のアーキテクチャ、インターフェース、技術など、特定の詳細について説明している。しかし、本発明は、これらの特定の詳細から外れる他の説明のための実施形態において実施できることは当業者に自明であろう。一部の例では、不必要な詳細によって、記述した実施形態の記述を不明瞭にしないように、よく知られているデバイス、回路、および方法の詳細な説明は省略している。その特定の例だけでなく、すべての原理、態様、および実施形態は、その構造的および機能的な等価物を包含することを意図するものである。さらに、そのような等価物は、現在知られている等価物に加えて、今後開発される等価物も含むことを意図するものである。
【００１２】
本発明は、異種ネットワークにおいて全体的な干渉を減らすために、異種ネットワークのマクロ・セルとスモール・セルとの間の伝送の相互作用に関して、以下に記述するものである。開示した発明の方法は、少なくとも１つのマクロ・セルおよびマクロ・セル内に組み込まれた１つまたは複数のスモール・セルを有する異種ネットワークの例示的なケースについて記述するものであるが、本発明の方法は、概して、複数の基地局および移動局のペアを含み、それらのペアの間に非対称な通信パワー関係を含む、任意のネットワークにおける干渉管理に適用可能であり、請求された発明は、その方法のそのような適用をすべて包含することを意図するものである。また、本発明は、ＬＴＥ標準、およびそのようなＬＴＥワイヤレス・システムに関連するＥ−ＵＴＲＡＮエア・インターフェース標準によるワイヤレス・システム証明サービス（ｗｉｒｅｌｅｓｓ  ｓｙｓｔｅｍ  ｐｒｏｖｉｎｇ  ｓｅｒｖｉｃｅ）に関して説明的に記述されているが、発明の概念は、マクロ・セルが、また、その中に機能する１つまたは複数のスモール・セルを包含する他のワイヤレス構成に適用可能であることは明白であることに留意されたい。
【００１３】
異種ネットワークでは、特に住居地域およびオフィス・ビルについては、マクロの有効範囲が、点在するスモール（ピコ／フェムト）セルの有効範囲にオーバーラップするのは、非常に一般的な展開シナリオである。多くの場合において、システム・オペレータは、マクロ・セルおよびスモール・セルで同じキャリアを共有する必要がある。そのようなキャリアを共有するケースでは、マクロ・セルとスモール・セルの通信領域がオーバーラップする場合、スモール・セルに接続されたＵＥは、マクロ・セルと通信している近くのＵＥから過度の干渉を経験する場合がある。マクロにリンクされたＵＥからのこの干渉は、マクロにリンクされたＵＥおよび近くのスモール・セルが、マクロ・セルのセル・エッジ、またはその近くに位置する場合、特に激しくなる。
【００１４】
したがって、ＵＥが、マクロ・セルに接続され、１つまたは複数のスモール・セルの近くに位置するが、ＵＥとスモール・セルとの間のリンク状態のために、ＵＥをスモール・セルにハンドオフできない状況では、近くのスモール・セルへのＲＬ干渉を最小限にするために、ＵＥの逆方向リンク送信パワーを抑制することが望ましい。この目的に対処するために、発明者らは、スモール・セルのスモール・セル通信領域に接するが、そのスモール・セル通信領域の外部にあるマクロ・セル通信領域の一部に位置する干渉抑制ゾーンの概念を開発した。
【００１５】
本発明の干渉抑制ゾーンの概念は、図１に概略的に示されている。図を参照すると、マクロ・セルの通信領域内に重なり、隣接するマクロ・セル間の境界に沿って説明のために位置するスモール・セル１０５のクラスタを有する、２つの隣接するマクロ・セル１０１および１０２を含む例示的なＨｅｔＮｅｔが図示されている。マクロ・セル１０２は、基地局１０７によってサービスを提供され、マクロ・セル１０１は、基地局１０８によってサービスを提供される。順方向のスラッシュで示したスモール・セル・クラスタ１０５は、典型的には、たとえば、マクロ・セルによって効果的にサービスを提供できるより大きなユーザ密度を有する領域など、スモール・セルのそのような重なりが、サービス品質を改善することを期待できる領域内にクラスタ化された複数のスモール・セルを含む。
【００１６】
図において、セル１０６として示すスモール・セル・クラスタを含むセルの外側周辺だけが示され（かつ逆スラッシュで描写され）ているが、クラスタ１０５をまとめて含めるために、他の同様のセルがクラスタ内に配置されることを理解されるであろう。また、明白なように、スモール・セルのクラスタのサイズおよび場所は、単に概念を説明するものであり、そのようなセル・クラスタは、任意の数のスモール・セルで構成することができ（単一のスモール・セルでも。ただし、本発明の実用化において、そのようなケースは比較的ありそうもない）ＨｅｔＮｅｔ内のどこにでも配置することができる。ユーザ（またはＵＥ）１１０は、ユーザが比較的高速で移動するスモール・セル・クラスタ１０５を横断して、自動車道など１０９に沿って移動する少なくとも１人のユーザを含む、ＨｅｔＮｅｔ内を動き回る。
【００１７】
本発明によると、可変幅１１５を有する干渉抑制ゾーン１０４は、スモール・セル・クラスタ１０５の外側周辺に隣接し取り囲んで展開する。以下に、より完全に記述するように、干渉抑制ゾーン１０４内または近くで機能するＵＥは、スモール・セル・クラスタのセルへの干渉を減らすための送信パワー調整の対象である。
【００１８】
本発明による干渉抑制ゾーンを提供する概念は、ＵＥがスモール・セル・クラスタに近づくとき、そのセルへのハンドオフを達成するためにスモール・セルとの十分なＲＦ接続を有するには、ＵＥがまだスモール・セル・クラスタ（またはクラスタ内のセルの１つ）から遠すぎるが、他のセル（たとえばＨｅｔＮｅｔマクロ・セルの１つ）との逆方向リンク送信が、スモール・セルに対して深刻な干渉をなすスモール・セルに十分に接近している（距離の）範囲があるであろうという考えを前提としている。したがって、本発明の方法は、その状況におけるＵＥ逆方向リンクの送信パワーの削減を提供する。
【００１９】
他の基地局とアクティブな通信状態（無線リソース制御（ＲＲＣ）＿Ａｃｔｉｖｅ状態）にあるＵＥについて、スモール・セル・クラスタの干渉抑制ゾーンに入ったというＵＥによる決定時に、ＵＥは、最初に進行中のベストエフォートの（ＢＥ）トラフィックを弱め、そのようなＢＥトラフィックの送信に必要な程度へと送信パワーを減らす。好ましくは、ＢＥトラフィック送信は、最大でも事前に決定した期間、停止される。ＵＥが、（スモール・セルへのハンドオフを達成せずに）そのような事前に定めた期間より長く干渉抑制ゾーンに残った場合、ＵＥは、（関連する低いデータ転送速度で）最低の送信パワーで一部のＢＥトラフィック送信を可能にすることができる。
【００２０】
ＵＥが、完全優先転送（ＥＦ）または相対的優先転送（ＡＦ）のトラフィックを有する限り、逆方向リンクの送信パワーをさらに減らすために、最小限の受け入れ可能なＱｏＳサポートを提供するために必要な最低レベルへと、そのようなＥＦおよび／またはＡＦトラフィックの送信パワーを減らすように機能する。進行中の音声サービスがある場合、ボコーダー速度の減少を利用することができる。
【００２１】
もちろん、ここに記載する概念は、逆方向リンクの送信パワーを、ＵＥによって扱われる所与のトラフィック優先度のサービス要件に一致する程度に減らすことであり、ＢＥ、ＥＦ、およびＡＦトラフィックに関して、ここに記載した説明的なケースに限定しないことを理解されるであろう。
【００２２】
干渉抑制ゾーンにあるとＵＥによって決定され、上記のような逆方向リンクの送信パワーを減らすためのステップが取られたら、ＵＥは、近くのスモール・セルを検索し始める。位置情報に基づいて、最も接近しているスモール・セルのみを検索する必要がある。これによって、ＵＥのパワー消費が減る。必要に応じて、ＵＥは、マクロからスモール・セルへのハンドオフ遅延を最小限にするために、前準備プロセスを開始するために干渉抑制ゾーンにあることをマクロｅＮＢに通知することができる。
【００２３】
ＵＥがスモール・セル（複数可）のパイロット（複数可）およびスモール・セルにハンドオフするための要求を確実に受け取るとすぐに、ＵＥは、サービスを提供するマクロ・セルに通知を送る。サービスを提供しているマクロ・セルからスモール・セルにハンドオフするようにＵＥが指図されるとすぐに、開ループ・パワー制御（ｏｐｅｎ  ｌｏｏｐ  ｐｏｗｅｒ  ｃｏｎｔｒｏｌ）を通じて送信パワーがすぐに下げられて、スモール・セルに接続する。
【００２４】
しかし、典型的にクラスタ内のスモール・セルの近接性のために、スモール・セル・クラスタを横断する自動車道で機能するＵＥは、横断されるスモール・セルの間での複数の高速ハンドオフにより、特にシステム・オーバヘッドに関して、マクロ・セルへのＵＥ送信からの逆方向リンク干渉のものより大きな問題が引き起こされる速度で移動する場合があることに留意されたい。したがって、そのような状況では、ネットワークは、マクロ・セルとの接続を維持し、スモール・セルへのハンドオフを回避するようにＵＥに命令することができる。
【００２５】
アイドル状態のＵＥ（ＲＲＣ＿Ｉｄｌｅ状態）について、低速および中速のアイドル状態のＵＥのほとんどは、オーバーラップしたマクロ／スモール・セル通信領域においてスモール・セルにキャンプするように案内されるべきである。しかし、マクロ・セルにキャンプしているＵＥについては、次の干渉抑制ルールに従うべきであり、すなわち、アクセスがＵＥ自体またはページングによって開始された場合、ＵＥが、マクロおよびスモールの有効範囲がオーバーラップした領域に位置する場合、ＵＥは、最も接近しているスモール・セルを最初に再選択し、アクセスおよび接続の手順を開始するべきである。アイドル状態のＵＥが、干渉抑制ゾーンにあり、必要な伝送調整に取り組んだことを決定すると、ＲＲＣ＿Ａｃｔｉｖｅ状態のＵＥについて上に記述したのと同じ方法で、スモール・セルにハンドオフするために、隣接するスモール・セルの検索を開始するべきである。ＵＥは、上昇するパワーの下げられた上限を用いて、変更されたアクセス・プロービング・プロセスに従うことができる。位置情報に基づいて、ほんの少数の最も接近しているスモール・セルのみを検索する必要がある。
【００２６】
上記のように、干渉抑制ゾーンの内側境界線は、スモール・セル・クラスタの外側境界線に位置し、これと同一の広がりを有する。以下、発明者らは、干渉抑制ゾーン、およびそのゾーンへの所与のＵＥの近接性の範囲を決定するための様々な方法を開示する。干渉抑制ゾーンの範囲およびそのゾーンに関するＵＥの機能を決定するためのそれらの代案方法のそれぞれは、本発明の別の実施形態と考えられる。
【００２７】
基本的なケースでは、ＵＥが干渉抑制ゾーンへのその近接性を独立して決定する場合、そのような近接性は、ＵＥで構成された事前に決定した開始計測距離（ＳＭ距離）に関して決定することができる。この手法では、ＵＥは、隣接するスモール・セルへの距離を定期的にチェックする。ＵＥとそのセルとの間の距離がＳＭ距離未満である少なくとも１つのスモール・セルがあれば、測定が開始される。ＵＥがスモール・セルをホストするマクロ・セルに入ると、スモール・セル・クラスタの境界の基準スモール・セルの緯度および経度などの位置情報が、ブロードキャストまたは専用シグナリングを通じてＵＥに送られる。ＵＥは、ＣＰＳ機能を用いて構成されるものと想定される。境界スモール・セルの緯度／経度を取得した後、ＵＥは、それ自身の位置（緯度／経度）を定期的にチェックし、境界の基準スモール・セルへの距離を計算する。最も接近している基準スモール・セルへの距離は、ＳＭ距離として使用される。ＳＭ距離があらかじめ構成されたしきい値未満である場合、ＵＥは、それが干渉抑制ゾーンにあることを認識する。
【００２８】
代替的実施形態では、干渉抑制ゾーンの境界およびそのゾーンへのＵＥの近接性は、ＵＥとマクロ・セルとの間の調整、特に本発明の実施形態の説明的なＬＴＥシステムに関連するＥ−ＵＴＲＡＮワイヤレス・インターフェースを通じて決定される。第１のそのようなケースにおいて、Ｅ−ＵＴＲＡＮは、スモール・セル境界から抑制ゾーンの外側境界線までの公称距離（Ｄ＿ｎｏｍ）を事前規定する（つまり抑制ゾーンの公称幅）。次に、マクロ・セルとの接続を有するＵＥは、以下の式に基づいてその機能に適用可能である抑制距離（Ｄ＿ｓｕｐ）を計算する：
Ｄ＿ｓｕｐ＝Ｄ＿ｎｏｍ＋Ｋ１＊Ｖ＿ＵＥ−Ｋ２＊ＲＳＲＰ＿ｍａｃｒｏ
ここで、Ｋ１およびＫ２は、関係する測定基準の有効な範囲に基づいて決定される倍率であり（詳細は以下に記述）、Ｖ＿ＵＥは、ＵＥが移動する速度を表し、ＲＳＲＰ＿ｍａｃｒｏは、ＵＥによって受信および測定されるマクロ・セルからのダウンリンクにおける参照信号受信パワー（Ｒｅｆｅｒｅｎｃｅ  Ｓｉｇｎａｌ  Ｒｅｃｅｉｖｅ  Ｐｏｗｅｒ）である。
（ＵＥの速度（Ｖ＿ＵＥ）が高い場合、またはＵＥがマクロ・セル・エッジにある場合、つまり、ＵＥが必然的により高い送信パワーを有する状況では、Ｄ＿ｓｕｐはより大きいべきであることに留意されたい。）
【００２９】
既に説明したように、スモール・セルをホストするマクロ・セルにおいて、Ｅ−ＵＴＲＡＮは、スモール・セル・クラスタ有効範囲のエッジにあるすべてのマクロにホストされたスモール・セルのセルＩＤと共に位置（たとえば緯度／経度）をブロードキャストする。ホスト・マクロ・セルに入った後、ＵＥは、現在の位置と関係するスモール・セルとの間の距離を定期的に計算し、抑制距離に対する最短距離を取る。ＵＥと最も接近しているスモール・セルとの間の距離がＤ＿ｓｕｐ（抑制距離）未満である場合、ＵＥは、それが抑制ゾーンにあると決定する。
【００３０】
他の代替実施形態では、抑制ゾーン・パラメータおよびＵＥの近接性は次のように決定される。Ｅ−ＵＴＲＡＮは、スモール・セルパワー測定「通知」の公称しきい値Ｎｏｍ＿Ｐｉｃｏ＿Ａｌｅｒｔ＿Ｔｈｒｅｓｈを事前規定してＵＥに伝達する。次に、ＵＥは、以下の式（ＦＦＳ）に基づいて、最終的な干渉抑制ゾーン決定しきい値Ｐｉｃｏ＿Ａｌｅｒｔ＿Ｔｈｒｅｓｈを計算する：
Ｐｉｃｏ＿Ａｌｅｒｔ＿Ｔｈｒｅｓｈ＝Ｎｏｍ＿Ｐｉｃｏ＿Ａｌｅｒｔ＿Ｔｈｒｅｓｈ＋Ｋ１＊ＲＳＲＰ＿ｍａｃｒｏ−Ｋ２＊Ｖ＿ＵＥ
ここで、Ｋ１はＲＳＲＰ測定の倍率であり、Ｋ２はＵＥ速度の倍率であり、Ｖ＿ＵＥおよびＲＳＲＰ＿ｍａｃｒｏは上に定義された通りである。
（ＵＥの速度（Ｖ＿ＵＥ）が高い場合、またはＵＥがマクロ・セル・エッジにある場合、つまり、ＵＥが必然的により高い送信パワーを有する状況では、Ｐｉｃｏ＿Ａｌｅｒｔ＿Ｔｈｒｅｓｈはより小さいべきであることに留意されたい。）
【００３１】
上記の式Ｄ＿ｓｕｐおよびＰｉｃｏ＿Ａｌｅｒｔ＿Ｔｈｒｅｓｈの倍率（Ｋ１およびＫ２）は、式を一般化するために提供され、エンジニアリングの柔軟性を可能にするものである。所与の倍率の値は、概して、特定のＨｅｔＮｅｔに依存しない。それらの倍率のエンジニアリング目的は、同じ式で異なる測定基準が共に機能することを確実にすることである。より詳細には、倍率Ｋ１およびＫ２は、式のＲＳＲＰおよびＶ＿ＵＥ測定基準の影響のバランスを保つために使用される。異なる要素（速度およびパワー）の影響を制御するために、異なる倍率値を使用できる場合がある。たとえば、式Ｄ＿ｓｕｐを考えると、Ｄ＿ｎｏｍ＝５０ｍで、Ｖ＿ＵＥの有効な範囲は０〜１２０ｋｍ／ｈである場合、最も速度が速いＵＥがパワー削減メカニズムをトリガーするためにスモール・セル・クラスタに接近しすぎる前に、約１０秒の時間、そのままにすることをオペレータが決心すれば、Ｋ１を６に設定できる場合がある。同様に、−２０〜−１００ｄＢｍのＲＳＲＰ＿ｍａｃｒｏの例示的な有効な範囲について、ＵＥがマクロ・セル・エッジにある場合に、スモール・セルから追加の１００ｍを提供するために、Ｋ２を１に設定できる場合がある。Ｋ１、Ｋ２のスケール係数は、シミュレーションおよび実地試験を通じてさらに最適化することができる。
【００３２】
ホスト・マクロ・セルに入った後、ＵＥは、マクロ・セル下で機能しているピコ（スモール）セルのＲＳＲＰおよび／または参照信号受信品質（ＲＳＲＱ：Ｒｅｆｅｒｅｎｃｅ  Ｓｉｇｎａｌ  Ｒｅｃｅｉｖｅ  Ｑｕａｌｉｔｙ）を定期的に検索および測定する。次に、最も強力なピコ・セルＲＳＲＰ／ＲＳＲＱ測定がＰｉｃｏ＿Ａｌｅｒｔ＿Ｔｈｒｅｓｈパラメータに対して行われる。ＲＳＲＰ／ＲＳＲＱがＰｉｃｏ＿Ａｌｅｒｔ＿Ｔｈｒｅｓｈより高い場合、ＵＥは、抑制ゾーンにあると決定して、ネットワークに通知するメッセージを送る。
【００３３】
この実施形態および前の実施形態について、ホスト・マクロ・セルは、スモール・セル情報を常にブロードキャストし、ＵＥは、マクロ・セルに入るときにスモール・セルの検索を開始する。
【００３４】
さらに他の実施形態では、抑制ゾーンの近接性およびＵＥに対する関連する活動は、（スモール・セルを含む）サービスを提供する基地局から近接基地局へのＵＥのハンドオフのための既存の３ＧＰＰ手順の拡張として決定される。この実施形態では、ＵＥの既存のハンドオフ測定報告トリガー・イベントは、異なるしきい値を用いて適用される。たとえば、報告トリガー・イベントＡ４は、ＵＥが干渉抑制ゾーンに入った（または近接している）こと、およびハンドオーバー測定報告トリガーの既存の機能を示すものとして、（ハンドオフに対するよりも）より低いしきい値を適用することができる。この手法では、測定レポートに基づいて、ネットワークは、事前に構成されたしきい値に対する、報告されたＵＥ測定の値に基づいて、ＵＥが干渉抑制ゾーンにあるか、またはハンドオフの準備ができているかを決定する。ＵＥは干渉抑制ゾーンにあるが、ＲＦリンク状態は、ハンドオフをサポートするのに適切ではないと決定された場合、上記のパワー削減ステップは、ネットワークによってＵＥに対してスケジューリングされる。
【００３５】
マクロ・セルは、その通信領域内のスモール・セルの位置に関して情報を有し、その位置に関してＵＥから位置情報を取得できるため（たとえばＵＥによって提供されるＧＰＳ読み取り値から）、マクロ・セルは、また、その境界が定められたスモール・セルに関して干渉抑制ゾーンを画定するようにプログラムすることができ、ＵＥからの位置情報に基づいて、干渉抑制ゾーンに関するＵＥの位置を決定することができる。そのようなＵＥ近接性データから、マクロ・セルは、本発明の方法に従って、ＵＥのために適切な送信パワー調整をスケジューリングできる立場になる。
【００３６】
場合によっては、より劣る商用アプリケーションを有する場合でも、干渉抑制ゾーンへのＵＥ近接性をスモール・セル・クラスタのセルによって決定することも本発明の意図に入る。このシナリオでは、スモール・セルは、過度の干渉を検出し、マクロ・セルに通知する。スモール・セルからのこの報告に基づいて、次に、マクロ・セルは隣接したＵＥに通知し、適切な送信パワー調整をスケジューリングする。この手法に関する課題は、過度の干渉報告を生成するスモール・セルが、干渉を引き起こしているＵＥの識別情報を認識していないことの場合がある。現在、当技術分野では、この問題への解決策が提供されていないため、当技術分野が進歩すると、そのような解決策が生まれるであろうと考えられる。
【００３７】
ＵＥがスモール・セルをホストするマクロ・セルに位置するが、抑制ゾーンにも有効範囲がオーバーラップした領域にも位置していない場合、ＵＥは、もちろん、通常のアクセス・プロセスに従う。
【００３８】
本明細書において、発明者らは、１つまたは複数のマクロ・セルおよび１つまたは複数のスモール・セルのクラスタを含む異種ネットワークの改善された干渉管理のためのシステムおよび方法を開示した。本発明の多数の修正形態および代替実施形態は、前述の記述を考慮すると当業者に自明であろう。
【００３９】
したがって、この記述は実例としてのみ解釈するべきであり、本発明を実施する最良の方法を当業者に教えることを目的としており、そのすべての形態を示すことを意図するものではない。また、使用する用語は、限定ではなく説明のための用語であり、構造の詳細は、本発明の精神から逸脱することなく、本質的に変更することができ、添付の特許請求の範囲内に記載されているすべての変更形態の使用が確保されることが理解される。
【図１】
0005717866.tif 000002